(57)【特許請求の範囲】
【請求項１】
棒状の地中アンカ本体の後端部に回転機械を着脱自在に結合し、その回転機械により回転しながら押圧することにより、前記地中アンカ本体の先端側に設けられた螺旋状掘削刃により地中に掘削進入して埋設される地中アンカにおいて、
前記地中アンカ本体の後端側につば部を設けるとともに、そのつば部と前記螺旋状掘削刃との間において前記地中アンカ本体にそのつば部及びその螺旋状掘削刃の直径よりも大きい直径を有する補助螺旋状掘削刃を設けたことを特徴とする地中アンカ。
【請求項２】
補助螺旋状掘削刃をつば部と螺旋状掘削刃との中間位置に設けたことを特徴とする請求項１記載の地中アンカ。
【請求項３】
棒状体の一端側に、地中アンカの後端側に設けられている、回転機械に着脱自在に嵌合するための角柱部に着脱自在に嵌合する角孔を設けるとともに、前記棒状体の他端側に、前記回転機械に装着するための前記地中アンカの角柱部と近似形状の装着部を設けてなることを特徴とする地中アンカ埋設用工具。
【請求項４】
棒状体の内部に、角孔に連通して前記棒状体の一端側に開口する、地中アンカの角柱部に取付けられた支線棒を収納できる空間が形成されていることを特徴とする請求項３記載の地中アンカ埋設用工具。
【請求項５】
装着部は、回転機械である穴掘建柱車のオーガに装着可能なものであることを特徴とする請求項３又は４記載の地中アンカ埋設用工具。
【発明の詳細な説明】
【０００１】
【発明の属する技術分野】
本発明は、電柱の支線あるいは建築構造物等を地中において支持する地中アンカ、及びその地中アンカを埋設するときに用いられる工具に関する。
【０００２】
【従来の技術】
本出願人は、先に、特願平１０−１６６７５７号等において、先端側に螺旋状掘削刃を有する棒状の地中アンカを提案している。
【０００３】
上記提案に係る地中アンカは、地中アンカ本体の先端側に設けられた螺旋状掘削刃の地中に進入する側及び外周が尖鋭に形成されており、また、その地中アンカ本体の先端部に切込刃からなるドリル部が形成されているので、地盤が堅くとも容易に掘削して埋設できる等の特長を有している。本明細書において、地中アンカ又は地中アンカ本体の先端側もしくは先端部とは、地中アンカ埋設時の地中進入方向先端側もしくは先端部をいい、地中アンカ又は地中アンカ本体の後端側もしくは後端部とは、地中アンカ埋設時の地中進入方向後端側もしくは後端部をいう。
【０００４】
また、上記提案に係る地中アンカは、地中アンカを埋設するための穴掘建柱車のオーガ等の回転機械に装着されやすいようにするために、また、その回転機械により地中アンカ本体の軸心方向に押圧力を加えやすいようにするために、地中アンカ本体の後端側に、前記回転機械に嵌合する角柱部に続いて、その地中アンカ本体の直径よりも大きい所定の直径を有するつば部が設けられている。
【０００５】
【発明が解決しようとする課題】
しかしながら、上記提案に係る地中アンカは、後端側につば部を有しているので、地中アンカを埋設するときにそのつば部が進入抵抗となって埋設しずらいという不都合があった。
【０００６】
このような不都合を解決するために、地中アンカ本体からつば部を取去ることも考えられるが、このつば部がないと、回転機械へ装着しずらくなるばかりでなく、地中アンカ本体に押圧力を効果的に加えることができないという新たな問題点が発生してしまう。
【０００７】
また、地中アンカに予め支線棒を装着した状態で埋設できるようにし、施工の簡易化を図ることのできる地中アンカ埋設用工具の出現が待たれていた。
【０００８】
そこで、本発明は、上記欠点を解決するとともに、上記要望に応えるためになされたものであって、第１の目的は、つば部の進入抵抗を減ずることができる地中アンカを提供することにあり、第２の目的は、その地中アンカの埋設施工の簡易化を図ることのできる地中アンカ埋設用工具を提供することにある。
【０００９】
【課題を解決するための手段】
本発明は、上記第１の目的を達成するために、棒状の地中アンカ本体の後端部に回転機械を着脱自在に結合し、その回転機械により回転しながら押圧することにより、前記地中アンカ本体の先端側に設けられた螺旋状掘削刃により地中に掘削進入して埋設される地中アンカにおいて、前記地中アンカ本体の後端側につば部を設けるとともに、そのつば部と前記螺旋状掘削刃との間において前記地中アンカ本体にそのつば部及びその螺旋状掘削刃の直径よりも大きい直径を有する補助螺旋状掘削刃を設けたことを特徴としている。
補助螺旋状掘削刃は、つば部と螺旋状掘削刃との中間位置に設けることが望ましい。
【００１０】
本発明は、上記第２の目的を達成するために、棒状体の一端側に、地中アンカの後端側に設けられている、回転機械に着脱自在に嵌合するための角柱部に着脱自在に嵌合する角孔を設けるとともに、前記棒状体の他端側に前記回転機械に装着するための前記地中アンカの角柱部と近似形状の装着部を設けて地中アンカ埋設用工具を構成したことを特徴としている。
本発明による上記地中アンカ埋設用工具は、棒状体の内部に、角孔に連通して前記棒状体の一端側に開口する、地中アンカの角柱部に取付けられた支線棒を収納できる空間が形成されていることを特徴としている。
さらに、前記装着部は、回転機械である穴掘建柱車のオーガに装着可能なものであることを特徴としている。
【００１１】
【発明の実施の形態】
以下、本発明の実施の形態を図面に基づいて説明する。図１（ａ）は、一実施の形態に係る地中アンカの正面図、同図（ｂ）は、その上面図である。
【００１２】
地中アンカＡは、全体形状が棒状を呈していて、地中アンカ本体１を有する。地中アンカ本体１の先端側（図１（ａ）では下端側）に、複数個（図示の例では４個）の螺旋状掘削刃２ａ，２ｂ，２ｃ，２ｄが間欠的に設けられている。螺旋状掘削刃２ａ〜２ｄは、図１（ａ）において上方に存在するものほど、下方に存在するものよりも、すなわち、螺旋状掘削刃２ａよりも２ｂ、また、２ｂよりも２ｃが大きい径を有する。また、螺旋状掘削刃２ａ〜２ｄは、地中に進入する側及び外周が尖鋭に形成されている。そして、地中アンカ本体の先端部分は、周知のドリルと同様に、切込刃３を有するドリル部に形成されている。
【００１３】
地中アンカ本体１の後端側には、地中アンカ本体１の径よりも少し大きな径を有するつば部４が設けられているとともに、そのつば部４に続く後端部には、四角柱からなる角柱部５が形成されている。その角柱部５を、後述する回転機械に嵌合して、地中アンカＡをその回転機械で回転させることができるように構成されている。図１（ａ）中、５ａは、角柱部５に設けられた、後述する支線棒を取付けるための孔である。
【００１４】
地中アンカ本体１は、図１（ａ）に示されるように、その長手方向中央部分が膨らんだ紡錘形に形成されている。このように、地中アンカ本体１を紡錘形に形成すると、地中アンカ本体１の強度を高めることができる。
【００１５】
図１（ａ）中、６は、本発明に基づき新規に設けられた補助螺旋状掘削刃であって、上記各螺旋状掘削刃２ａ〜２ｄと同様に、地中アンカ本体１と一体的に形成されていて、つば部４と螺旋状掘削刃２ｄとのほぼ中間に、かつ、そのつば部４及び螺旋状掘削刃２ｄの直径よりも少し大きい直径を有する。この補助螺旋状掘削刃６も、上記各螺旋状掘削刃２ａ〜２ｄと同様に、地中に進入する側及び外周が尖鋭に形成されている。
【００１６】
上記の構成を有する地中アンカＡは、回転機械で回転されて地中に埋設される際、つば部４の下方がそのつば部４の直径よりも大きい直径を有する補助螺旋状掘削刃６で掘削されるので、つば部４の地中への進入抵抗が小さくなるため、地中アンカＡを地中深くまで容易に埋設することが可能となる。
【００１７】
加えて、つば部４と補助螺旋状掘削刃６との間には、地中アンカ本体１の先端側に設けられている螺旋状掘削刃２ａ〜２ｄの囲りに形成されると同様の圧縮固結塊が形成されるので、地中アンカの支持力が高まる。つまり、補助螺旋状掘削刃６は螺旋状掘削刃２ａ〜２ｄよりも大きい直径を有するので、螺旋状掘削刃２ａ〜２ｄによる耐引張り力を補助する。
【００１８】
図２は、上記構成の地中アンカＡを穴掘建柱車に設けられている回転機械であるオーガａで埋設するときに用いられる、本発明に係る地中アンカ埋設用工具（以下、単に工具という。）１０の使用状態を示す分解斜視図である。
【００１９】
工具１０は、１本の棒状体１１からなり、その一端側（図２の例では下端側）には、地中アンカ１の角柱部５を着脱自在に嵌合することができる角孔１２が設けられているとともに、その他端側（図２では上端側）には、オーガａに設けられている角柱状の挿入口ａ′に挿入される、角柱部５と近似形状の装着部１３が形成されている。そして、棒状体１１の内部には、角孔１２に連通して下方に開口する、後述する支線棒を収納するのに十分な容積を有する空間１４が設けられている。
【００２０】
図２中、ｂ1 は、地中アンカＡの角柱部５に設けられた穴５ａに取付けられている支線棒であり、ここでは、支線棒の長さを所定長さに保つために、角柱部５に取付けられている支線棒ｂ1 の先端にもう１本の支線棒ｂ2 が取付けられている。
【００２１】
上記の構成を有する工具１０を用いて地中アンカＡを地中に埋設するには、先ず、棒状体１１の装着部１３がオーガａの挿入口ａ′に挿入される。そして、脱落防止のために、オーガａの先端に設けられている貫通孔ａ″及び装着部１３に設けられている貫通孔１３ａにボルトＢが挿入されてナットＮで固定される。
【００２２】
次いで、棒状体１１の空間１４に支線棒ｂ1 ，ｂ2 が挿入され、角孔１２に地中アンカ本体１の角柱部５が嵌合される。この際、棒状体１１から地中アンカ本体１が脱落しないように、棒状体１１の下部に設けられている貫通孔１１ａにピンＰが挿入される。すなわち、このピンＰに支線棒ｂ1 のリングｂ1 ’内を貫通させることにより、工具１０の棒状体１１と地中アンカＡの地中アンカ本体１とが連結状態に保たれる。
【００２３】
棒状体１１に挿入されたピンＰは、オーガａにより地中アンカ本体１の先端部（ドリル部３）が地中に接し、そのオーガａに押圧状態に保たれたときに抜取られる。
【００２４】
棒状体１１からピンＰが抜き取られたのち、オーガａを押圧状態を保ちながら、回転させると、地中アンカＡは、螺旋状掘削刃２ａ〜２ｄ及び補助螺旋状掘削刃６の食い込み作用により地中に進入し埋設される。そして、地中アンカＡが所定深さに埋設された後、オーガａを上方へ移動させると、工具１０の棒状体１１は地中アンカＡの地中アンカ本体１から外れて地中アンカＡ及び支線棒ｂ1 は、地中に埋設された状態に保たれる。その後、支線棒ｂ2 の自由端のリングには、図示しないワイヤが取付けられて電柱等が支持される。
【００２５】
【発明の効果】
請求項１の発明によれば、棒状の地中アンカ本体の後端部に回転機械を着脱自在に結合し、その回転機械により回転しながら押圧することにより、前記地中アンカ本体の先端側に設けられた螺旋状掘削刃により地中に掘削進入して埋設される地中アンカにおいて、前記地中アンカ本体の後端側につば部を設けるとともに、そのつば部と前記螺旋状掘削刃との間において前記地中アンカ本体にそのつば部及びその螺旋状掘削刃の直径よりも大きい直径を有する補助螺旋状掘削刃を設けたので、つば部の進入抵抗が少なくなり、つば部付きの地中アンカを地中に容易に埋設することができる。また、つば部と補助螺旋状掘削刃との間に圧縮固結塊が生成されるので、地中アンカの支持力が高まる。
【００２６】
請求項２の発明によれば、補助螺旋状掘削刃をつば部と螺旋状掘削刃との中間位置に設けてあるので、螺旋状掘削刃と補助螺旋状掘削刃との間及び補助螺旋状掘削刃とつば部との間に、それぞれ圧縮固結塊がバランス良く形成されるため、地中アンカの支持力がさらに高まる。
【００２７】
請求項３の発明によれば、工具は、棒状体の一端側に、地中アンカの後端側に設けられている、回転機械に着脱自在に嵌合するための角柱部に着脱自在に嵌合する角孔を設けるとともに、前記棒状体の他端側に前記回転機械に装着するための前記地中アンカの角柱部と近似形状の装着部を設けてなるから、棒状体の一端側の角孔に地中アンカの角柱部を嵌合し、棒状体の他端側の装着部を、地中アンカを単独で埋設する時にその地中アンカの角柱部を回転機械に嵌合するのと同じ要領で、回転機械に嵌合することにより、地中アンカを簡単に埋設することができる。すなわち、同一の回転機械を、地中アンカ単独の埋設と、工具を用いての地中アンカの埋設とのいずにも使用することができる。
また、工具の棒状体の内部に、地中アンカの角柱部に取付けた支線棒を収納できる空間を形成したときは、支持棒を取付けた状態で回転機械を用いて地中アンカを埋設することができる。
【００２８】
そして、装着部を、回転機械である穴掘建柱車のオーガに装着可能なものとしたときは、汎用機械を用いて地中アンカを埋設することができる。
【図面の簡単な説明】
【図１】  （ａ）は、本発明の一実施の形態に係る地中アンカの正面図、（ｂ）は、その上面図である。
【図２】  本発明の一実施の形態に係る地中アンカ用施工工具を用いて地中アンカを埋設するときの分解斜視図である。
【符号の説明】
Ａ      地中アンカ
１      地中アンカ本体
２ａ，〜２ｄ      螺旋状掘削刃
３      切込刃（ドリル部）
４      つば部
５      角柱部
６      補助螺旋状掘削刃
１０    地中アン埋設用工具（工具）
１１    棒状体
１２    角孔
１３    装着部
ａ      オーガ（回転機械）
ｂ1 ，ｂ2       支線棒
【図１】
0004266471.tif 000002
【図２】
0004266471.tif 000003